(57)【特許請求の範囲】
【請求項１】
一対の縦枠(13)、(14)及び横枠(11)、(12)にて構成された戸枠(10)の内側に形成された開口部に挿入され、上側の横枠(11)の内面に固定されたガイドレール(15)に沿って水平方向に戸枠開口部内をスライド自在であり、略矩形状で垂直な端面に戸当(24)を設けた扉本体(20)と、
前記扉本体(20)の端部で前記戸当(24)よりも内側に、垂直方向に沿って扉本体(20)の端部と略等しい長さに延長して扉正面側に開口され、開閉のための握り部を構成する握り空間(26)と、
前記握り空間(26)内で、前記戸当(24)よりも遠い側に前記握り空間(26)の垂直方向に沿って略等しい長さに延長され、水平面内で移動してロック位置とロック解除位置とに切り替え可能なレバーハンドル(30)と、
前記扉本体(20)の上面と前記ガイドレール(15)の内面との間に配置され、前記扉本体(20)の移動方向に沿ってスライド自在に装着されており、前記レバーハンドル(30)の操作に連動してスライドすると共に、スライド方向の先端に解除傾斜面(62)を形成したロック解除片(60)と、
前記扉本体(20)もしくは前記戸枠(10)内のガイドレール(15)のいずれかに固定され、前記ロック解除片(60)のスライド移動を案内するため、前記ロック解除片(60)が前記レバーハンドル(30)の操作によってスライドする進行方向に開口すると共に、前記ロック解除片(60)が出入りする開口端縁を前記ロック解除片(60)の進行方向に対して略垂直なカバー垂直面(56)とする一方、他方の端面を面取りしたカバー端縁(57)に形成したカバー片(50)と、
前記扉本体(20)の上面と前記ガイドレール(15)の内面との間に配置され、前記ロック解除片(60)の解除傾斜面(62)と略一致するように対向する第２傾斜面(46)と、前記第２傾斜面(46)から連続して該第２傾斜面(46)の傾斜方向とは逆の方向に傾斜する第１傾斜面(45)とで、前記ロック解除片(60)の進行方向に対して交差するように山形に突出したロック傾斜面(44)を形成すると共に、前記第２傾斜面(46)に連続して、前記ロック解除片(60)の進行方向に対して略垂直なロック垂直面(47)を形成したロック片(40)と
を備える引き戸であって、
前記ロック傾斜面(44)が前記ロック解除片(60)の進行方向に対して突出した山形の頂部までの高さは、前記カバー垂直面(56)と前記ロック垂直面(47)とが重なる当接面の長さよりも大きくなるように設計されており、
前記扉本体(20)を戸枠(10)内でスライドさせて引き戸を閉塞位置に移動させると、扉本体(20)が閉塞位置に達した時点で、前記カバー片(50)のカバー垂直面(56)がロック片(40)のロック垂直面(47)と当接することで、前記扉本体(20)とガイドレール(15)との相対移動が阻害され、前記扉本体(20)はスライドできないロック状態となり、
一方、前記レバーハンドル(30)を操作して、ロック位置からロック解除位置に移動させると、前記レバーハンドル(30)の移動に連動して前記ロック解除片(60)がカバー片(50)の開口端から突出し、前記ロック解除片(60)の解除傾斜面(62)が前記ロック片(40)の第２傾斜面(46)を押し出すことで前記ロック傾斜面(44)の山形が押し上げられて、前記ロック垂直面(47)が上昇する結果、前記ロック垂直面(47)と前記カバー垂直面(56)との当接が失われ、前記扉本体(20)とガイドレール(15)との相対移動が解除されて、前記扉本体(20)の開閉が可能となるロック解除状態に切り替わるよう構成されたことを特徴とする引き戸。
【請求項２】
一対の縦枠(13)、(14)及び横枠(11)、(12)にて構成された戸枠(10)の内側に形成された開口部に挿入され、上側の横枠(11)の内面に固定されたガイドレール(15)に沿って水平方向に戸枠開口部内をスライド自在であり、略矩形状で垂直な端面に戸当(24)を設けた扉本体(20)と、
前記扉本体(20)の端部で前記戸当(24)よりも内側に、垂直方向に沿って扉本体(20)の端部と略等しい長さに延長して扉正面側に開口され、開閉のための握り部を構成する握り空間(26)と、
前記握り空間(26)内で、前記戸当(24)よりも遠い側に前記握り空間(26)の垂直方向に沿って略等しい長さに延長され、水平面内で移動してロック位置とロック解除位置とに切り替え可能なレバーハンドル(30)と、
前記扉本体(20)の上方で前記ガイドレール(15)の内面に固定され、扉本体(20)の上端平面に向かって降下するように構成されており、扉本体(20)の上端平面に対向してくの字状に突出するロック傾斜面(44)とロック垂直面(47)とを連続して形成したロック片(40)と、
前記扉本体(20)の上端平面に沿ってスライド自在に装着されており、前記レバーハンドル(30)の移動に連動してスライドすると共に、スライド方向の先端に解除傾斜面(62)を形成したロック解除片(60)と、
扉本体(20)の上端平面上に固定され、内部に前記ロック解除片(60)を挿入する挿入空間(55)を形成した箱形とし、箱形の一端面を前記ロック解除片(60)が前記レバーハンドル(30)の操作によってスライドする進行方向に開口し、開口端縁を略垂直なカバー垂直面(56)とする一方、他端面を平滑なカバー端縁(57)に形成したカバー片(50)と、
を備える引き戸であって、
前記扉本体(20)を戸枠(10)内でスライドさせて閉塞位置に移動させると、対向する前記カバー片(50)の平滑端縁と前記ロック片(40)のロック傾斜面(44)とが接触し、カバー端縁(57)がロック傾斜面(44)に沿って当接しながら乗り越えるように前記ロック片(40)が持ち上がり、扉本体(20)が閉塞位置に達した時点でカバー垂直面(56)がロック傾斜面(44)を乗り越え、ロック垂直面(47)と当接することで、前記カバー片(50)と固定された前記扉本体(20)はスライドできないロック状態となり、
一方、前記レバーハンドル(30)をロック位置から、レバーハンドル(30)を移動させてロック解除位置に移動させると、前記レバーハンドル(30)の移動に連動して前記ロック解除片(60)がカバー片(50)の開口端から突出し、前記ロック解除片(60)の解除傾斜面(62)が前記ロック片(40)のロック傾斜面(44)を押し上げて、前記カバー垂直面(56)と前記ロック垂直面(47)との当接状態が解除されて、前記カバー片(50)と固定された前記扉本体(20)のスライドが可能となるロック解除状態に切り替わるよう構成されたことを特徴とする引き戸。
【請求項３】
請求項１又は２に記載の引き戸であって、前記レバーハンドル(30)が外力のない状態でロック位置となるよう弾性体で付勢されていることを特徴とする引き戸。
【請求項４】
請求項１から３のいずれかに記載の引き戸であって、前記レバーハンドル(30)を握る方向に移動させることにより、ロック状態を解除するように構成されてなることを特徴とする引き戸。
【請求項５】
請求項１から４のいずれかに記載の引き戸であって、前記ロック解除片(60)とレバーハンドル(30)とが、ロック解除片(60)の下面から扉本体(20)に向かって突出し、レバーハンドル(30)の上端に開口された連結挿入口(33)に挿入される連結ピン(64)で連結されてなることを特徴とする引き戸。
【請求項６】
請求項５に記載の引き戸であって、前記レバーハンドル(30)が、水平方向断面が略扇状に形成され、扇状の中心近傍に回動軸(32)を設けると共に、前記連結挿入口(33)を扇状の円弧近傍に設けてなり、前記レバーハンドル(30)をロック位置からロック解除位置に回動軸(32)を中心に回動させると前記連結挿入口(33)に挿入された前記連結ピン(64)が前記戸当(24)から離れる方向に移動されるよう構成されてなることを特徴とする引き戸。
【請求項７】
請求項１から６のいずれかに記載の引き戸であって、前記カバー端縁(57)が曲面に形成されてなることを特徴とする引き戸。
【請求項８】
請求項１から７のいずれかに記載の引き戸であって、
前記ロック片(40)が、前記ロック解除片(60)がロック解除状態とするために移動する方向と、相対向する方向に突出してなることを特徴とする引き戸。
【請求項９】
請求項１から８のいずれかに記載の引き戸であって、
前記ロック片(40)が、ロック傾斜面(44)を形成したロック部(43)と、ロック部(43)を前記ガイドレール(15)の内面に固定する傾斜部(42)とを備え、
前記ロック部(43)はさらに、先端からロック解除片(60)に向かって突出し、底面を平面状とする係止片を備えており、
さらに前記ガイドレール(15)は、前記ロック片(40)がロック状態にあるとき、前記ロック片(40)のロック垂直面(47)をカバー片のカバー垂直面(56)と当接させる位置に、前記係止片の底面を支持するよう設定された支持片を、前記ガイドレール(15)の内面に固定してなることを特徴とする引き戸。
【請求項１０】
請求項１から９のいずれかに記載の引き戸であって、
前記ロック片(40)が、ロック傾斜面(44)を形成したロック部(43)と、ロック部(43)を前記ガイドレール(15)の内面に固定する傾斜部(42)とを備え、
前記傾斜部(42)の端部が前記ガイドレール(15)の内面に点状で支持されてなり、かつ傾斜部(42)は弾性変形自在な部材で構成されてなることを特徴とする引き戸。
【請求項１１】
請求項１０に記載の引き戸であって、
前記ロック片(40)が、後端部分で前記ガイドレール(15)の内面と、回転自在に固定されてなることを特徴とする引き戸。
【請求項１２】
一対の縦枠(13)、(14)及び横枠(11)、(12)にて構成された戸枠(10)の内側に形成された開口部に挿入され、上側の横枠(11)の内面に固定されたガイドレール(15)に沿って水平方向に戸枠開口部内をスライド自在であり、略矩形状で垂直な端面に戸当(24)を設けた扉本体(20)と、
前記扉本体(20)の端部で前記戸当(24)よりも内側に、垂直方向に沿って扉本体(20)の端部と略等しい長さに延長して扉正面側に開口され、開閉のための握り部を構成する握り空間(26)と、
前記握り空間(26)内で、前記戸当(24)よりも遠い側に前記握り空間(26)の垂直方向に沿って略等しい長さに延長され、水平面内で移動してロック位置とロック解除位置とに切り替え可能なレバーハンドル(30)と、
を備える引き戸を、閉塞位置にロックすることが可能な引き戸用のロック装置であって、
前記扉本体(20)の上面と前記ガイドレール(15)の内面との間に配置され、前記扉本体(20)の移動方向に沿ってスライド自在に装着されており、前記レバーハンドル(30)の操作に連動してスライドすると共に、スライド方向の先端に解除傾斜面(62)を形成したロック解除片(60)と、
前記扉本体(20)もしくは前記戸枠(10)内のガイドレール(15)のいずれかに固定され、前記ロック解除片(60)のスライド移動を案内するため、前記ロック解除片(60)が前記レバーハンドル(30)の操作によってスライドする進行方向に開口すると共に、前記ロック解除片(60)が出入りする開口端縁を前記ロック解除片(60)の進行方向に対して略垂直なカバー垂直面(56)とする一方、他方の端面を面取りしたカバー端縁(57)に形成したカバー片(50)と、
前記扉本体(20)の上面と前記ガイドレール(15)の内面との間に配置され、前記ロック解除片(60)の解除傾斜面(62)と略一致するように対向する第２傾斜面(46)と、前記第２傾斜面(46)から連続して該第２傾斜面(46)の傾斜方向とは逆の方向に傾斜する第１傾斜面(45)とで、前記ロック解除片(60)の進行方向に対して交差するように山形に突出したロック傾斜面(44)を形成すると共に、前記第２傾斜面(46)に連続して、前記ロック解除片(60)の進行方向に対して略垂直なロック垂直面(47)を形成したロック片(40)と
を備え、
前記ロック傾斜面(44)が前記ロック解除片(60)の進行方向に対して突出した山形の頂部までの高さは、前記カバー垂直面(56)と前記ロック垂直面(47)とが重なる当接面の長さよりも大きくなるように設計されており、
前記扉本体(20)を戸枠(10)内でスライドさせて引き戸を閉塞位置に移動させると、扉本体(20)が閉塞位置に達した時点で、前記カバー片(50)のカバー垂直面(56)がロック片(40)のロック垂直面(47)と当接することで、前記扉本体(20)とガイドレール(15)との相対移動が阻害され、前記扉本体(20)はスライドできないロック状態となり、
一方、前記レバーハンドル(30)を操作して、ロック位置からロック解除位置に移動させると、前記レバーハンドル(30)の移動に連動して前記ロック解除片(60)がカバー片(50)の開口端から突出し、前記ロック解除片(60)の解除傾斜面(62)が前記ロック片(40)の第２傾斜面(46)を押し出すことで前記ロック傾斜面(44)の山形が押し上げられて、前記ロック垂直面(47)が上昇する結果、前記ロック垂直面(47)と前記カバー垂直面(56)との当接が失われ、前記扉本体(20)とガイドレール(15)との相対移動が解除されて、前記扉本体(20)の開閉が可能となるロック解除状態に切り替わるよう構成されたことを特徴とする引き戸用のロック装置。
【請求項１３】
一対の縦枠(13)、(14)及び横枠(11)、(12)にて構成された戸枠(10)の内側に形成された開口部に挿入され、上側の横枠(11)の内面に固定されたガイドレール(15)に沿って水平方向に戸枠開口部内をスライド自在であり、略矩形状で垂直な端面に戸当(24)を設けた扉本体(20)と、
前記扉本体(20)の端部で前記戸当(24)よりも内側に、垂直方向に沿って扉本体(20)の端部と略等しい長さに延長して扉正面側に開口され、開閉のための握り部を構成する握り空間(26)と、
前記握り空間(26)内で、前記戸当(24)よりも遠い側に前記握り空間(26)の垂直方向に沿って略等しい長さに延長され、水平面内で移動してロック位置とロック解除位置とに切り替え可能なレバーハンドル(30)と、
を備える引き戸を、閉塞位置にロックすることが可能な引き戸用のロック装置であって、
前記扉本体(20)の上面と前記ガイドレール(15)の内面との間に配置され、前記扉本体(20)の移動方向に沿ってスライド自在に装着されており、前記レバーハンドル(30)の操作に連動してスライドすると共に、スライド方向の先端に解除傾斜面(62)を形成したロック解除片(60)と、
前記扉本体(20)もしくは前記戸枠(10)内のガイドレール(15)のいずれかに固定され、前記ロック解除片(60)のスライド移動を案内するため、前記ロック解除片(60)が前記レバーハンドル(30)の操作によってスライドする進行方向に開口すると共に、前記ロック解除片(60)が出入りする開口端縁を前記ロック解除片(60)の進行方向に対して略垂直なカバー垂直面(56)とする一方、他方の端面を面取りしたカバー端縁(57)に形成したカバー片(50)と、
前記扉本体(20)の上面と前記ガイドレール(15)の内面との間に配置され、扉本体(20)の上端平面に向かって降下するように構成されており、前記ロック解除片(60)の解除傾斜面(62)と略一致するように対向する第２傾斜面(46)と、前記第２傾斜面(46)から連続して該第２傾斜面(46)の傾斜方向とは逆の方向に傾斜する第１傾斜面(45)とで、前記ロック解除片(60)の進行方向に対して交差するように山形に突出したロック傾斜面(44)を形成すると共に、前記第２傾斜面(46)に連続して、前記ロック解除片(60)の進行方向に対して略垂直なロック垂直面(47)を形成したロック片(40)と
を備え、
前記ロック傾斜面(44)が前記ロック解除片(60)の進行方向に対して突出した山形の頂部までの高さは、前記カバー垂直面(56)と前記ロック垂直面(47)とが重なる当接面の長さよりも大きくなるように設計されており、
前記扉本体(20)を戸枠(10)内でスライドさせて閉塞位置に移動させると、対向する前記カバー片(50)の平滑端縁と前記ロック片(40)のロック傾斜面(44)とが接触し、カバー端縁(57)がロック傾斜面(44)に沿って当接しながら乗り越えるように前記ロック片(40)が持ち上がり、扉本体(20)が閉塞位置に達した時点でカバー垂直面(56)がロック傾斜面(44)を乗り越え、ロック垂直面(47)と当接することで、前記カバー片(50)と固定された前記扉本体(20)はスライドできないロック状態となり、
一方、前記レバーハンドル(30)をロック位置から、レバーハンドル(30)を移動させてロック解除位置に移動させると、前記レバーハンドル(30)の移動に連動して前記ロック解除片(60)がカバー片(50)の開口端から突出し、前記ロック解除片(60)の解除傾斜面(62)が前記ロック片(40)のロック傾斜面(44)を押し上げて、前記カバー垂直面(56)と前記ロック垂直面(47)との当接状態が解除されて、前記カバー片(50)と固定された前記扉本体(20)のスライドが可能となるロック解除状態に切り替わるよう構成されたことを特徴とする引き戸用のロック装置。
【請求項１４】
一対の縦枠(13)、(14)及び横枠(11)、(12)にて構成された戸枠(10)の内側に形成された開口部に挿入され、上側の横枠(11)の内面に固定されたガイドレール(15)に沿って水平方向に戸枠開口部内をスライド自在であり、略矩形状で垂直な端面に戸当(24)を設けた扉本体(20)と、
前記扉本体(20)の端部で前記戸当(24)よりも内側に、垂直方向に沿って扉本体(20)の端部と略等しい長さに延長して扉正面側に開口され、開閉のための握り部を構成する握り空間(26)と、
前記握り空間(26)内で、前記戸当(24)よりも遠い側に前記握り空間(26)の垂直方向に沿って略等しい長さに延長され、水平面内で移動してロック位置とロック解除位置とに切り替え可能なレバーハンドル(30)と、
を備える引き戸を、閉塞位置にロックすることが可能な引き戸用のロック装置であって、
前記扉本体(20)の上面と前記ガイドレール(15)の内面との間に配置され、前記扉本体(20)の移動方向に沿ってスライド自在に装着されており、前記レバーハンドル(30)の操作に連動してスライドすると共に、スライド方向の先端に解除傾斜面(62)を形成したロック解除片(60)と、
前記扉本体(20)もしくは前記戸枠(10)内のガイドレール(15)のいずれかに固定され、前記ロック解除片(60)のスライド移動を案内するため、前記ロック解除片(60)が前記レバーハンドル(30)の操作によってスライドする進行方向に開口すると共に、前記ロック解除片(60)が出入りする開口端縁を前記ロック解除片(60)の進行方向に対して略垂直なカバー垂直面(56)とする一方、他方の端面を面取りしたカバー端縁(57)に形成したカバー片(50)と、
前記扉本体(20)の上面と前記ガイドレール(15)の内面との間に配置され、扉本体(20)の上端平面に向かって降下するように構成されており、前記ロック解除片(60)の解除傾斜面(62)と略一致するように対向する第２傾斜面(46)と、前記第２傾斜面(46)から連続して該第２傾斜面(46)の傾斜方向とは逆の方向に傾斜する第１傾斜面(45)とで、前記ロック解除片(60)の進行方向に対して交差するように山形に突出したロック傾斜面(44)を形成すると共に、前記第２傾斜面(46)に連続して、前記ロック解除片(60)の進行方向に対して略垂直なロック垂直面(47)を形成したロック片(40)と
を備え、
前記ロック傾斜面(44)が前記ロック解除片(60)の進行方向に対して突出した山形の頂部までの高さは、前記カバー垂直面(56)と前記ロック垂直面(47)とが重なる当接面の長さよりも大きくなるように設計されており、
前記扉本体(20)を戸枠(10)内でスライドさせて閉塞位置に移動させると、対向する前記カバー片(50)の平滑端縁と前記ロック片(40)のロック傾斜面(44)とが接触し、カバー端縁(57)がロック傾斜面(44)に沿って当接しながら乗り越えるように前記ロック片(40)が持ち上がり、扉本体(20)が閉塞位置に達した時点でカバー垂直面(56)がロック傾斜面(44)を乗り越え、ロック垂直面(47)と当接することで、前記カバー片(50)と固定された前記扉本体(20)はスライドできないロック状態となり、
一方、前記レバーハンドル(30)をロック位置から、レバーハンドル(30)を移動させてロック解除位置に移動させると、前記レバーハンドル(30)の移動に連動して前記ロック解除片(60)がカバー片(50)の開口端から突出し、前記ロック解除片(60)の解除傾斜面(62)が前記ロック片(40)のロック傾斜面(44)を押し上げて、前記カバー垂直面(56)と前記ロック垂直面(47)との当接状態が解除されて、前記カバー片(50)と固定された前記扉本体(20)のスライドが可能となるロック解除状態に切り替わるよう構成されたことを特徴とする引き戸用のロック装置。
【発明の詳細な説明】
【技術分野】
【０００１】
本発明は、引き戸の解放を阻止するロック装置を備える引き戸及びロック装置に関し、特にロック状態への移行および解除が容易な引き戸及び引き戸用のロック装置に関する。
【背景技術】
【０００２】
２枚以上の引き戸を、戸枠内に互い違いにスライド自在に嵌め込んだ引き戸は、「引き違い引戸」、あるいは単に「引き違い戸」や「引戸」と表現される。このような引き戸は、ヒンジやピボット等で回動する観音開き式に比べて、開閉のためのスペースを取らないことから、特に狭いアパートや団地など、スペースの限られた日本の住宅事情においては古来より多用されてきた。単に出入り口用の扉やドア、襖や障子に限らず、箪笥や棚類などの扉にも、引き戸は広く採用されてきた。
【０００３】
食器棚や本棚などに採用される引き戸は、通常施錠のための機構やロック機構を有しない。このため、地震等の際に衝撃や振動で勝手に引き戸が開いて、内部の物がずり落ちたり飛び出す危険があった。特に水屋など、ガラス製の食器類を収納する収納棚の場合、地震の際に内部の食器が落下して割れ、ガラス片が飛び散る危険がある。このような状態では、後片づけが大変であるばかりか、地震の際に脱出しようとする人が足で踏むと怪我をし、脱出の妨げになるといった問題が指摘されていた。現実に阪神淡路大震災ではこのことが問題となった経緯があり、このような不意の引き戸開放事故を阻止するために、引き戸をロックするためのロック機構を設けたり、シリンダ錠などのカギを付加して施錠することなどが推奨されている。
【０００４】
引き戸の施錠装置は、通常、クレセント錠や鎌錠を使用するのが一般的である。クレセント錠は、室内引き戸の縦枠に回動自在に設けたレバー付きのロック爪を、室外引き戸の縦枠に固定された受け金具に引っ掛けることで、両引き戸をロックするようにしたものである。また鎌錠としては、室内引き戸の縦枠に固定されたケーシング内にキーの差し込み部を有する鎌ラッチを回動自在に取り付け、この鎌ラッチをキーで回動して室外引き戸の中桟に形成した受け座に引っ掛けることで、両引き戸をロックするようにしたものが知られている（例えば、特許文献１参照）。
【０００５】
しかしながらこれらの方法では、引き戸を開閉するたびに一々カギを挿入して解錠し、また使用後に施錠する必要があり、非常に手間がかかるという問題があった。また施錠のし忘れもあり、このため外出時や就寝時等に、施錠操作を行わなかったり忘れることが多く、本来の施錠装置としての機能が大きく減殺されるという欠点もあった。
【０００６】
また、引き戸の取っ手部分に施錠機構を設けるにはスペースが必要であり、特に食器棚のような限られた大きさの引き戸には施錠装置のケースを挿入することが困難であった。また複雑な機構のため施工コストが高くなるという問題もある。
【０００７】
一方で、引き戸の取っ手や握り部分の操作により、自動的にロックやラッチ状態が解除され、手を離すと再びロック状態とできる引き戸も開発されている（例えば特許文献２参照）。この引戸錠用ラッチング状態解除装置は、図１０に示すように引戸錠に対して引戸に固定され、かつ、周側壁８２に切欠部８６を有する引手８０と、この引手８０の底壁８５に突設した第２固定軸８８を介して引手８０に揺動可能に添設され、かつ切欠部８６に嵌入する折り曲げ部分８７を有するスライド駆動板８９と、底壁８５に突設した第１固定軸８１を介してスライド駆動板８９の係合部９２に組み合わせられ、かつスライド駆動板８９の揺動を引戸錠に設けた鎌片仮施錠用の係止片を係合解除の方向へと変換移動させる引っ張り手段９０と、このスライド駆動板８９や引っ張り手段９０が引手８０から外れないように引手８０の裏側に固定される押え板９５、９６とを備える。この引戸錠用ラッチング状態解除装置は、引戸に設けた引戸錠がラッチング（仮施錠）状態の場合において、引手８０を利用して引戸を開く時、人差し指乃至薬指を引手８０の凹所内に差込み、同時に引戸の凹所内に組み入れた可動操作レバー（スライド駆動板）の指当り部に対して引戸の開く方向に力を入れると、引手８０に一体的に設けられたラッチング解除装置を介し、引戸錠の仮施錠状態が解消する。
【０００８】
しかしながら、このような引き戸機構もまた上記と同様、扉の戸当部分に鎌状ロック及びその駆動機構を内蔵する必要があり、スペースが必要となる上、図１０に示すように機構が複雑で部品点数が多く、施工が高価になるという問題があった。さらにこのような引き戸機構の多くは扉の戸当部分に鎌状のロックを設け、この鎌状ロックをロックすることで施錠する構造となっている。この構造では、戸当部分で鎌状ロックが突出するため、この突出部分が手や物に当たって破損や怪我が生じることがある。また鎌状ロック等の可動部分が外部に露出する構造であるため、障害物がこの部分に入り込んだり噛み込んで詰まりが生じやすい。元々機構が複雑で歯車やギアなどの機械的可動部分が多く、機械的な動作不良が生じる可能性が高い上メンテナンスも容易でないという問題もあった。
【特許文献１】特開２０００−１２９９８９号公報
【特許文献２】特開２００２−３０９８２１号公報
【発明の開示】
【発明が解決しようとする課題】
【０００９】
本発明は、従来のこのような問題点に鑑みてなされたものである。本発明の主な目的は、ロック状態への移行および解除が極めて容易に行え、しかも省スペースに組み込み可能で構造も簡単であり、かつ安価に実現できる引き戸及び引き戸用のロック装置を提供することにある。
【課題を解決するための手段】
【００１０】
上記の目的を達成するために、本発明の第１の引き戸は、一対の縦枠１３、１４及び横枠１１、１２にて構成された戸枠１０の内側に形成された開口部に挿入され、上側の横枠１１の内面に固定されたガイドレール１５に沿って水平方向に戸枠開口部内をスライド自在であり、略矩形状で垂直な端面に戸当２４を設けた扉本体２０と、扉本体２０の端部で戸当２４よりも内側に、垂直方向に沿って扉本体２０の端部と略等しい長さに延長して扉正面側に開口され、開閉のための握り部を構成する握り空間２６と、握り空間２６内で、戸当２４よりも遠い側に握り空間２６の垂直方向に沿って略等しい長さに延長され、水平面内で移動してロック位置とロック解除位置とに切り替え可能なレバーハンドル３０と、扉本体２０の上面とガイドレール１５の内面との間に配置され、扉本体２０の移動方向に沿ってスライド自在に装着されており、レバーハンドル３０の操作に連動してスライドすると共に、スライド方向の先端に解除傾斜面６２を形成したロック解除片６０と、扉本体２０もしくは戸枠１０内のガイドレール１５のいずれかに固定され、ロック解除片６０のスライド移動を案内するため、ロック解除片６０がレバーハンドル３０の操作によってスライドする進行方向に開口すると共に、ロック解除片６０が出入りする開口端縁をロック解除片６０の進行方向に対して略垂直なカバー垂直面５６とする一方、他方の端面を面取りしたカバー端縁５７に形成したカバー片５０と、扉本体２０の上面とガイドレール１５の内面との間に配置され、ロック解除片６０の解除傾斜面６２と略一致するように対向する第２傾斜面４６と、第２傾斜面４６から連続して該第２傾斜面４６の傾斜方向とは逆の方向に傾斜する第１傾斜面４５とで、ロック解除片６０の進行方向に対して交差するように山形に突出したロック傾斜面４４を形成すると共に、第２傾斜面４６に連続して、ロック解除片６０の進行方向に対して略垂直なロック垂直面４７を形成したロック片４０とを備える。この引き戸は、ロック傾斜面４４がロック解除片６０の進行方向に対して突出した山形の頂部までの高さは、カバー垂直面５６とロック垂直面４７とが重なる当接面の長さよりも大きくなるように設計されており、扉本体２０を戸枠１０内でスライドさせて引き戸を閉塞位置に移動させると、扉本体２０が閉塞位置に達した時点で、カバー片５０のカバー垂直面５６がロック片４０のロック垂直面４７と当接することで、扉本体２０とガイドレール１５との相対移動が阻害され、扉本体２０はスライドできないロック状態となり、一方、レバーハンドル３０を操作して、ロック位置からロック解除位置に移動させると、レバーハンドル３０の移動に連動してロック解除片６０がカバー片５０の開口端から突出し、ロック解除片６０の解除傾斜面６２がロック片４０の第２傾斜面４６を押し出すことでロック傾斜面４４の山形が押し上げられて、ロック垂直面４７が上昇する結果、ロック垂直面４７とカバー垂直面５６との当接が失われ、扉本体２０とガイドレール１５との相対移動が解除されて、扉本体２０の開閉が可能となるロック解除状態に切り替わるよう構成されている。これにより、扉を閉めると自動的にロック状態となり、また扉を開くときはレバーハンドルを操作するだけでロック状態を解除でき、一々ロックを解除するための面倒な操作を不要として使い易い引き戸のロックを実現できる。また構造が極めて簡単であり、出入り口用の扉以外に棚のような比較的狭いスペースでも組み込みが可能で、安価に実現できるメリットもある。
【００１１】
また、本発明の第２の引き戸は、一対の縦枠１３、１４及び横枠１１、１２にて構成された戸枠１０の内側に形成された開口部に挿入され、上側の横枠１１の内面に固定されたガイドレール１５に沿って水平方向に戸枠開口部内をスライド自在であり、略矩形状で垂直な端面に戸当２４を設けた扉本体２０と、扉本体２０の端部で戸当２４よりも内側に、垂直方向に沿って扉本体２０の端部と略等しい長さに延長して扉正面側に開口され、開閉のための握り部を構成する握り空間２６と、握り空間２６内で、戸当２４よりも遠い側に握り空間２６の垂直方向に沿って略等しい長さに延長され、水平面内で移動してロック位置とロック解除位置とに切り替え可能なレバーハンドル３０と、扉本体２０の上方でガイドレール１５の内面に固定され、扉本体２０の上端平面に向かって降下するように構成されており、扉本体２０の上端平面に対向してくの字状に突出するロック傾斜面４４とロック垂直面４７とを連続して形成したロック片４０と、扉本体２０の上端平面に沿ってスライド自在に装着されており、レバーハンドル３０の移動に連動してスライドすると共に、スライド方向の先端に解除傾斜面６２を形成したロック解除片６０と、扉本体２０の上端平面上に固定され、内部にロック解除片６０を挿入する挿入空間５５を形成した箱形とし、箱形の一端面をロック解除片６０がレバーハンドル３０の操作によってスライドする進行方向に開口し、開口端縁を略垂直なカバー垂直面５６とする一方、他端面を平滑なカバー端縁５７に形成したカバー片５０とを備える。この引き戸は、扉本体２０を戸枠１０内でスライドさせて閉塞位置に移動させると、対向するカバー片５０の平滑端縁とロック片４０のロック傾斜面４４とが接触し、カバー端縁５７がロック傾斜面４４に沿って当接しながら乗り越えるようにロック片４０が持ち上がり、扉本体２０が閉塞位置に達した時点でカバー垂直面５６がロック傾斜面４４を乗り越え、ロック垂直面４７と当接することで、カバー片５０と固定された扉本体２０はスライドできないロック状態となり、一方、レバーハンドル３０をロック位置から、レバーハンドル３０を移動させてロック解除位置に移動させると、レバーハンドル３０の移動に連動してロック解除片６０がカバー片５０の開口端から突出し、ロック解除片６０の解除傾斜面６２がロック片４０のロック傾斜面４４を押し上げて、カバー垂直面５６とロック垂直面４７との当接状態が解除されて、カバー片５０と固定された扉本体２０のスライドが可能となるロック解除状態に切り替わるよう構成されている。これにより、扉を閉めると自動的にロック状態となり、また扉を開くときはレバーハンドルを操作するだけでロック状態を解除でき、一々ロックを解除するための面倒な操作を不要として使い易い引き戸のロックを実現できる。また構造が極めて簡単であり、出入り口用の扉以外に棚のような比較的狭いスペースでも組み込みが可能で、安価に実現できるメリットもある。
【００１２】
さらに、本発明の第３の引き戸は、レバーハンドル３０が外力のない状態でロック位置となるよう弾性体で付勢されている。これにより、通常時はロック位置を維持して扉本体のロックが保たれ、またレバーハンドルを弾性体に付勢されたロック位置から、弾性体の弾性力に抗するよう使用者がレバーハンドルを回動させることでロック解除位置に切り替えることが可能となり、安全かつ確実な動作が実現され信頼性の高い引き戸用のロック装置とすることができる。
【００１３】
さらにまた、本発明の第４の引き戸は、レバーハンドル３０を握る方向に移動させることにより、ロック状態を解除するように構成されている。この構造によって、扉本体を開く際にレバーハンドルを握るだけでロック状態を解除できるので、ロック解除の操作を意識することなく扉本体の開放時にレバーハンドルの握り動作に伴ってスムーズにロックを解除できる使い勝手の良い引き戸用のロック装置が実現される。
【００１４】
さらにまた、本発明の第５の引き戸は、ロック解除片６０とレバーハンドル３０とが、ロック解除片６０の下面から扉本体２０に向かって突出し、レバーハンドル３０の上端に開口された連結挿入口３３に挿入される連結ピン６４で連結されている。これにより、極めて簡単な構成で回動運動をほぼ線状運動に変換してロック解除片６０を押し出すことができ、ロック機構の施工が容易で製造コストを抑えた引き戸用のロック装置が実現される。
【００１５】
さらにまた、本発明の第６の引き戸は、レバーハンドル３０が、水平方向断面が略扇状に形成され、扇状の中心近傍に回動軸３２を設けると共に、連結挿入口３３を扇状の円弧近傍に設けてなり、レバーハンドル３０をロック位置からロック解除位置に回動軸３２を中心に回動させると連結挿入口３３に挿入された連結ピン６４が戸当２４から離れる方向に移動されるよう構成されている。これにより、レバーハンドルを回動させて、円弧状に沿って連結挿入口を挿入された連結ピンを押し出しロックを解除でき、極めて簡単な構成でロック機構を実現できる。
【００１６】
さらにまた、本発明の第７の引き戸は、カバー端縁５７が曲面に形成されている。この構成により、カバー端縁の曲面でロック片をスムーズに押し上げることができ、安定した動作が期待できる。
【００１７】
さらにまた、本発明の第８の引き戸は、ロック片４０が、ロック解除片６０がロック解除状態とするために移動する方向と、相対向する方向に突出している。これにより、ロック片４０がロック解除片６０に対して突き出すように突出させ、ロック状態を確実に維持できる。
【００１８】
さらにまた、本発明の第９の引き戸は、ロック片４０が、ロック傾斜面４４を形成したロック部４３と、ロック部４３をガイドレール１５の内面に固定する傾斜部４２とを備え、ロック部４３はさらに、先端からロック解除片６０に向かって突出し、底面を平面状とする係止片を備えており、さらにガイドレール１５は、ロック片４０がロック状態にあるとき、ロック片４０のロック垂直面４７をカバー片のカバー垂直面５６と当接させる位置に、係止片の底面を支持するよう設定された支持片を、ガイドレール１５の内面に固定している。これにより、ロック片４０がロック状態となる位置にあるとき、ロック垂直面４７とカバー垂直面５６とを確実に当接させるよう案内することができ、動作の安定性を向上できる。
【００１９】
さらにまた、本発明の第１０の引き戸は、ロック片４０が、ロック傾斜面４４を形成したロック部４３と、ロック部４３をガイドレール１５の内面に固定する傾斜部４２とを備え、傾斜部４２の端部がガイドレール１５の内面に点状で支持されてなり、かつ傾斜部４２は弾性変形自在な部材で構成されている。これにより、ロック片４０は後端を点状に支持されて、傾斜部４２が弾性変形することによって容易に上下動するので、ロック部４３に形成されたロック傾斜面４４をスムーズに上下でき、ロック状態とロック解除状態とをスムーズに切り替えできる。
【００２０】
さらにまた、本発明の第１１の引き戸は、ロック片４０が、後端部分でガイドレール１５の内面と、回転自在に固定されている。これにより、ロック片４０は後端の回転軸を中心に回転するので、ロック片４０先端のロック傾斜面４４をスムーズに上下でき、ロック状態とロック解除状態とをスムーズに切り替えできる。
【００２１】
さらにまた、本発明の第１２の引き戸用のロック装置は、一対の縦枠１３、１４及び横枠１１、１２にて構成された戸枠１０の内側に形成された開口部に挿入され、上側の横枠１１の内面に固定されたガイドレール１５に沿って水平方向に戸枠開口部内をスライド自在であり、略矩形状で垂直な端面に戸当２４を設けた扉本体２０と、扉本体２０の端部で戸当２４よりも内側に、垂直方向に沿って扉本体２０の端部と略等しい長さに延長して扉正面側に開口され、開閉のための握り部を構成する握り空間２６と、握り空間２６内で、戸当２４よりも遠い側に握り空間２６の垂直方向に沿って略等しい長さに延長され、水平面内で移動してロック位置とロック解除位置とに切り替え可能なレバーハンドル３０とを備える引き戸を、閉塞位置にロックすることが可能な引き戸用のロック装置である。この引き戸用のロック装置は、扉本体２０の上面とガイドレール１５の内面との間に配置され、扉本体２０の移動方向に沿ってスライド自在に装着されており、レバーハンドル３０の操作に連動してスライドすると共に、スライド方向の先端に解除傾斜面６２を形成したロック解除片６０と、扉本体２０もしくは戸枠１０内のガイドレール１５のいずれかに固定され、ロック解除片６０のスライド移動を案内するため、ロック解除片６０がレバーハンドル３０の操作によってスライドする進行方向に開口すると共に、ロック解除片６０が出入りする開口端縁をロック解除片６０の進行方向に対して略垂直なカバー垂直面５６とする一方、他方の端面を面取りしたカバー端縁５７に形成したカバー片５０と、扉本体２０の上面とガイドレール１５の内面との間に配置され、ロック解除片６０の解除傾斜面６２と略一致するように対向する第２傾斜面４６と、第２傾斜面４６から連続して該第２傾斜面４６の傾斜方向とは逆の方向に傾斜する第１傾斜面４５とで、ロック解除片６０の進行方向に対して交差するように山形に突出したロック傾斜面４４を形成すると共に、第２傾斜面４６に連続して、ロック解除片６０の進行方向に対して略垂直なロック垂直面４７を形成したロック片４０とを備え、ロック傾斜面４４がロック解除片６０の進行方向に対して突出した山形の頂部までの高さは、カバー垂直面５６とロック垂直面４７とが重なる当接面の長さよりも大きくなるように設計されており、扉本体２０を戸枠１０内でスライドさせて引き戸を閉塞位置に移動させると、扉本体２０が閉塞位置に達した時点で、カバー片５０のカバー垂直面５６がロック片４０のロック垂直面４７と当接することで、扉本体２０とガイドレール１５との相対移動が阻害され、扉本体２０はスライドできないロック状態となり、一方、レバーハンドル３０を操作して、ロック位置からロック解除位置に移動させると、レバーハンドル３０の移動に連動してロック解除片６０がカバー片５０の開口端から突出し、ロック解除片６０の解除傾斜面６２がロック片４０の第２傾斜面４６を押し出すことでロック傾斜面４４の山形が押し上げられて、ロック垂直面４７が上昇する結果、ロック垂直面４７とカバー垂直面５６との当接が失われ、扉本体２０とガイドレール１５との相対移動が解除されて、扉本体２０の開閉が可能となるロック解除状態に切り替わるよう構成されている。これにより、扉を閉めると自動的にロック状態となり、また扉を開くときはレバーハンドルを操作するだけでロック状態を解除でき、一々ロックを解除するための面倒な操作を不要として使い易い引き戸のロックを実現できる。また構造が極めて簡単であり、出入り口用の扉以外に棚のような比較的狭いスペースでも組み込みが可能で、安価に実現できるメリットもある。
【００２２】
さらにまた、本発明の第１３の引き戸用のロック装置は、一対の縦枠１３、１４及び横枠１１、１２にて構成された戸枠１０の内側に形成された開口部に挿入され、上側の横枠１１の内面に固定されたガイドレール１５に沿って水平方向に戸枠開口部内をスライド自在であり、略矩形状で垂直な端面に戸当２４を設けた扉本体２０と、扉本体２０の端部で戸当２４よりも内側に、垂直方向に沿って扉本体２０の端部と略等しい長さに延長して扉正面側に開口され、開閉のための握り部を構成する握り空間２６と、握り空間２６内で、戸当２４よりも遠い側に握り空間２６の垂直方向に沿って略等しい長さに延長され、水平面内で移動してロック位置とロック解除位置とに切り替え可能なレバーハンドル３０とを備える引き戸を、閉塞位置にロックすることが可能な引き戸用のロック装置である。この引き戸用のロック装置は、扉本体２０の上面とガイドレール１５の内面との間に配置され、扉本体２０の移動方向に沿ってスライド自在に装着されており、レバーハンドル３０の操作に連動してスライドすると共に、スライド方向の先端に解除傾斜面６２を形成したロック解除片６０と、扉本体２０もしくは戸枠１０内のガイドレール１５のいずれかに固定され、ロック解除片６０のスライド移動を案内するため、ロック解除片６０がレバーハンドル３０の操作によってスライドする進行方向に開口すると共に、ロック解除片６０が出入りする開口端縁をロック解除片６０の進行方向に対して略垂直なカバー垂直面５６とする一方、他方の端面を面取りしたカバー端縁５７に形成したカバー片５０と、扉本体２０の上面とガイドレール１５の内面との間に配置され、扉本体２０の上端平面に向かって降下するように構成されており、ロック解除片６０の解除傾斜面６２と略一致するように対向する第２傾斜面４６と、第２傾斜面４６から連続して該第２傾斜面４６の傾斜方向とは逆の方向に傾斜する第１傾斜面４５とで、ロック解除片６０の進行方向に対して交差するように山形に突出したロック傾斜面４４を形成すると共に、第２傾斜面４６に連続して、ロック解除片６０の進行方向に対して略垂直なロック垂直面４７を形成したロック片４０とを備え、ロック傾斜面４４がロック解除片６０の進行方向に対して突出した山形の頂部までの高さは、カバー垂直面５６とロック垂直面４７とが重なる当接面の長さよりも大きくなるように設計されており、扉本体２０を戸枠１０内でスライドさせて閉塞位置に移動させると、対向するカバー片５０の平滑端縁とロック片４０のロック傾斜面４４とが接触し、カバー端縁５７がロック傾斜面４４に沿って当接しながら乗り越えるようにロック片４０が持ち上がり、扉本体２０が閉塞位置に達した時点でカバー垂直面５６がロック傾斜面４４を乗り越え、ロック垂直面４７と当接することで、カバー片５０と固定された扉本体２０はスライドできないロック状態となり、一方、レバーハンドル３０をロック位置から、レバーハンドル３０を移動させてロック解除位置に移動させると、レバーハンドル３０の移動に連動してロック解除片６０がカバー片５０の開口端から突出し、ロック解除片６０の解除傾斜面６２がロック片４０のロック傾斜面４４を押し上げて、カバー垂直面５６とロック垂直面４７との当接状態が解除されて、カバー片５０と固定された扉本体２０のスライドが可能となるロック解除状態に切り替わるよう構成されている。これにより、扉を閉めると自動的にロック状態となり、また扉を開くときはレバーハンドルを操作するだけでロック状態を解除でき、一々ロックを解除するための面倒な操作を不要として使い易い引き戸のロックを実現できる。また構造が極めて簡単であり、出入り口用の扉以外に棚のような比較的狭いスペースでも組み込みが可能で、安価に実現できるメリットもある。
【００２３】
さらにまた、本発明の第１４の引き戸用のロック装置は、一対の縦枠１３、１４及び横枠１１、１２にて構成された戸枠１０の内側に形成された開口部に挿入され、上側の横枠１１の内面に固定されたガイドレール１５に沿って水平方向に戸枠開口部内をスライド自在であり、略矩形状で垂直な端面に戸当２４を設けた扉本体２０と、扉本体２０の端部で戸当２４よりも内側に、垂直方向に沿って扉本体２０の端部と略等しい長さに延長して扉正面側に開口され、開閉のための握り部を構成する握り空間２６と、握り空間２６内で、戸当２４よりも遠い側に握り空間２６の垂直方向に沿って略等しい長さに延長され、水平面内で移動してロック位置とロック解除位置とに切り替え可能なレバーハンドル３０とを備える引き戸を、閉塞位置にロックすることが可能な引き戸用のロック装置である。この引き戸用のロック装置は、扉本体２０の上面とガイドレール１５の内面との間に配置され、扉本体２０の移動方向に沿ってスライド自在に装着されており、レバーハンドル３０の操作に連動してスライドすると共に、スライド方向の先端に解除傾斜面６２を形成したロック解除片６０と、扉本体２０もしくは戸枠１０内のガイドレール１５のいずれかに固定され、ロック解除片６０のスライド移動を案内するため、ロック解除片６０がレバーハンドル３０の操作によってスライドする進行方向に開口すると共に、ロック解除片６０が出入りする開口端縁をロック解除片６０の進行方向に対して略垂直なカバー垂直面５６とする一方、他方の端面を面取りしたカバー端縁５７に形成したカバー片５０と、扉本体２０の上面とガイドレール１５の内面との間に配置され、扉本体２０の上端平面に向かって降下するように構成されており、ロック解除片６０の解除傾斜面６２と略一致するように対向する第２傾斜面４６と、第２傾斜面４６から連続して該第２傾斜面４６の傾斜方向とは逆の方向に傾斜する第１傾斜面４５とで、ロック解除片６０の進行方向に対して交差するように山形に突出したロック傾斜面４４を形成すると共に、第２傾斜面４６に連続して、ロック解除片６０の進行方向に対して略垂直なロック垂直面４７を形成したロック片４０とを備え、ロック傾斜面４４がロック解除片６０の進行方向に対して突出した山形の頂部までの高さは、カバー垂直面５６とロック垂直面４７とが重なる当接面の長さよりも大きくなるように設計されており、扉本体２０を戸枠１０内でスライドさせて閉塞位置に移動させると、対向するカバー片５０の平滑端縁とロック片４０のロック傾斜面４４とが接触し、カバー端縁５７がロック傾斜面４４に沿って当接しながら乗り越えるようにロック片４０が持ち上がり、扉本体２０が閉塞位置に達した時点でカバー垂直面５６がロック傾斜面４４を乗り越え、ロック垂直面４７と当接することで、カバー片５０と固定された扉本体２０はスライドできないロック状態となり、一方、レバーハンドル３０をロック位置から、レバーハンドル３０を移動させてロック解除位置に移動させると、レバーハンドル３０の移動に連動してロック解除片６０がカバー片５０の開口端から突出し、ロック解除片６０の解除傾斜面６２がロック片４０のロック傾斜面４４を押し上げて、カバー垂直面５６とロック垂直面４７との当接状態が解除されて、カバー片５０と固定された扉本体２０のスライドが可能となるロック解除状態に切り替わるよう構成されている。これにより、扉を閉めると自動的にロック状態となり、また扉を開くときはレバーハンドルを操作するだけでロック状態を解除でき、一々ロックを解除するための面倒な操作を不要として使い易い引き戸のロックを実現できる。また構造が極めて簡単であり、出入り口用の扉以外に棚のような比較的狭いスペースでも組み込みが可能で、安価に実現できるメリットもある。
【発明の効果】
【００２４】
本発明の引き戸及び引き戸用のロック装置は、引き戸の開閉をロックするための部品点数を少なくして簡素な構成で安価に実現できる。また回転つまみを操作するといった特別な操作が不要で、単にレバーハンドルを操作するのみでロック状態への移行および解除が容易に操作でき、開閉の度に確実なロック動作を実現してロックの失念を防止し、不意の事故の際の安全性を高めることができる。しかも歯車やギア等の複雑な機械部品を極力排除して、機械的なトラブルや動作不良の発生を抑制し信頼性を高めることもできる。加えて戸当部分から突出する部材を排除できるので、この部分をすっきりさせて突出部分で指を傷付けたり破損する事故が回避される。
【発明を実施するための最良の形態】
【００２５】
以下、本発明の実施の形態を図面に基づいて説明する。ただし、以下に示す実施の形態は、本発明の技術思想を具体化するための引き戸及び引き戸用のロック装置を例示するものであって、本発明は引き戸及び引き戸用のロック装置を以下のものに特定しない。また本明細書は、特許請求の範囲を理解し易いように、実施の形態に示される部材に対応する番号を、「特許請求の範囲の欄」、および「課題を解決するための手段の欄」に示される部材に付記している。ただ、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２６】
本明細書において、引き戸とは引戸、引き違い引戸、引き違い戸等とも表現される、スライド式の扉を意味する。また、引き戸を適用可能な部位としては、食器棚や本棚、陳列棚等の棚、箪笥等の家具、倉庫や収納具、キャビネット、ロッカー、プレハブ建物等が挙げられるが、これらに限定するものでなく、例えば出入口のドア等にも適用できる。また引き戸は、扉の底面を接触させてスライドさせる方式の他、上方から吊り下げてスライドさせる方式にも適用できる。また引き戸は通常２枚以上を戸枠にセットして使用する。以下の例では２枚の例について説明する。ただ、本発明は３枚以上の引き戸にも適用でき、この場合は両端に位置する２枚の引き戸にロック装置を付加する。また、２枚の引き戸のいずれか１枚のみに本発明のロック装置を適用してもよい。例えば１枚の扉本体を固定する場合などに好適に利用できる。なお本明細書において、ロック状態とは、そのままでは扉本体を開放できない状態を意味し、必ずしも鍵や錠による施錠を意味しない。その意味で、ラッチ状態、仮施錠、あるいは仮ロック状態等と表現することもできるが、本明細書ではロック状態と表現する。また、防犯目的であれば別途シリンダー錠など既存の施錠構造を適用して施錠することも可能であることはいうまでもない。ただ、本発明は簡易なロックあるいはラッチを目的としており、例えば地震などの事故の際に引き戸が開くのを防止できれば足りるので、本格的な施解錠ができることを必ずしも必要としない。
【００２７】
図１〜図７に、本発明の実施の形態１に係る引き戸用のロック装置１００を示す。これらの図において、図１（ａ）は引き戸用のロック装置１００を示す正面図で、図１（ｂ）は（ａ）のｂ−ｂ線から見た垂直断面図であり、図２は図１の引き戸の外観を示す斜視図、図３は図２の引き戸のロック装置１００を示す分解斜視図であり、具体的には図３（ａ）が扉本体上方の上端平面に固定されたカバー片およびロック片の外形を示す分解斜視図、図３（ｂ）が（ａ）からカバー片ユニットを除去して握り空間およびレバーハンドルを示す斜視図、図３（ｃ）が（ａ）のロック解除片を内蔵したカバー片ユニットを示す斜視図、図３（ｄ）が（ｃ）の垂直断面図をそれぞれ示している。また図４は図３（ａ）のレバーハンドルの動作を示す水平断面図、図５は図３（ａ）のロック装置１００の動作を示す垂直断面図を、図６はレバーハンドルを設けた握り空間を構成する戸当ユニットを示す平面図を、図７はロック解除片を内蔵したカバー片ユニットを示す平面図および垂直断面図を、それぞれ示している。
（戸枠１０）
【００２８】
これらの図に示す引き戸の扉本体２０は、戸枠１０のガイドレール１５、１６に挿入されている。戸枠１０は、図１（ａ）に示すように水平方向に一対の横枠１１、１２、垂直方向に一対の縦枠１３、１４を連結している。戸枠１０は、両面メラミン芯材のパーティクルボードなどが利用できる。
（扉本体２０）
【００２９】
扉本体２０は、図１および図２に示すように、横枠１１、１２の内面に沿って上下一対に固定されたガイドレール１５、１６に沿ってスライド自在に挿入される。扉本体２０の上下端部の水平面は、ガイドレール１５、１６に挿入されるガイドが形成されている。ガイドは例えば断面凸状とし、断面凹状のガイドレールに挿入できる大きさに形成される。図１（ｂ）の例ではガイドレール１５、１６として、横枠１１、１２の内上方の上横枠１１には上鴨居レール１５Ａを、下方の下横枠１２には下鴨居レール１６Ａを固定している。上鴨居レール１５Ａは断面をコ字状として下方を開口し、この開口部に扉本体２０の上端平面を挿入する。なお、戸枠１０に扉本体２０を挿入した状態で上端平面は開口部をすべて占有せず、後述するロック片４０やカバー片５０などが配置される空間を形成する。また下鴨居レール１６Ａは、樹脂成形されたレールであり、この上を扉本体２０の下端平面に設けられたベアリング入りの戸車２１で走行させる。扉本体２０は全体を戸枠１０に挿入できる大きさの矩形状とし、木製、スチール製等とする。図１（ｂ）の例では、扉本体２０に枠を設けてガラス板２２を嵌め込んでいる。扉本体２０の左右端縁すなわち垂直面は、図３の分解斜視図および図４の水平断面図に示すように縦枠１４に当接する部分に戸当２４を固定している。戸当２４は、好ましくは縦枠１４との接触の衝撃を緩衝するための緩衝材として、パッキンなどを利用する。
（握り空間２６）
【００３０】
さらに戸当２４の内側には、図３の分解斜視図に示すように扉の開閉時に手を挿入するための握り空間２６が形成されている。使用者は扉本体２０を開け閉めする際に握り空間２６に手を挿入して扉本体２０を左右に移動させる。握り空間２６の内面には引っ掛かりとなる湾曲面２７が形成されており、これによって扉の開閉の際に手を扉本体２０にかけやすくなる。握り空間２６は断面が略コ字状となるように開口しており、引っ掛かりは開口部を狭くするように開口部端縁に突出させることが好ましい。握り空間２６は、図２に示すように扉本体２０の垂直方向に沿うようにほぼ同じ長さに延長されており、これによって使用者は扉端部の中央部分のみならず縦方向にどの部分でも手をかけて開閉を操作でき、使用者の身長や姿勢によらず開け閉め操作をし易くできる。
（レバーハンドル３０）
【００３１】
さらに、握り空間２６内には、扉本体２０を開ける際にロック状態を解除するための操作手段として、レバーハンドル３０が設けられている。レバーハンドル３０は、握り空間２６に沿って垂直方向に延長して設けられており、水平面内で回動軸３２を中心に回動可能に固定されている。これにより、縦方向に延長された握り空間２６のどの位置からでも同様にレバーハンドル３０を操作できる。さらにレバーハンドル３０は、扉本体２０を開ける際に手で握る位置に設けられる。すなわち、握り空間２６内で、戸当２４と反対側の内面に固定される。これによって、使用者が扉本体２０を開けようとする際、手を握り空間２６内に挿入して扉本体２０の移動方向に手を引っかけようとすれば、手がレバーハンドル３０に触れて回動させることができる。またレバーハンドル３０を回動させやすいように、回動軸３２は図４の水平断面図に示すように握り空間２６の奥側に配置することが好ましい。これによって、使用者が奥に手（例えば指２本から４本）を入れて、指の腹をレバーハンドル３０に押し当てる動作によりレバーハンドル３０がスムーズに回動される。
【００３２】
レバーハンドル３０は図４の水平断面図に示すように、水平方向の断面は扇形とし、扇形の中心に回動軸３２を挿入する回動軸保持筒３１を一体形成している。レバーハンドル３０を弾性変形可能なプラスチックや樹脂などで一体成形することにより、回動軸保持筒３１の一部を欠開して回動軸３２への挿入を容易にできる。また回動軸保持筒３１はレバーハンドル３０の垂直方向に沿って延長するように設ける他、上下端や中間位置など、数カ所にのみ形成することも可能である。またレバーハンドル３０の上端面には、図４の水平断面図に示すように円弧上の位置に、後述するロック解除片６０の連結ピン６４を挿入するための連結挿入口３３が成形される。図４の例では、連結挿入口３３を形成した扇形の裾部分を、連結挿入口３３の円周に沿って曲面に形成しており、これによってユーザは手で握る位置を鋭角とせず、安全かつスムーズに握りやすい形状とできる。
【００３３】
また図６に、レバーハンドル３０を設けた握り空間２６を構成する戸当ユニット２３の平面図を示す。この図に示すように、扉本体２０の端縁に設けられる戸当２４を、予め握り空間２６を形成してレバーハンドル３０を回動自在に配置したユニット状に構成することで、木製ボード等の扉本体２０の端縁に、この戸当ユニット２３を固定するのみで施工でき、製造工程を簡素化することができる。戸当ユニット２３は、プラスチックや樹脂、金属などでフレームを一体的に形成し、握り空間２６に突出するようにフレームに設けられた回動軸３２にレバーハンドル３０を装着している。この例では、機械的強度を持たせるため戸当ユニット２３をアルミ押出成型により形成している。
【００３４】
またレバーハンドルは、図６のような回動式の他、図１１の断面図に示すようにスライド式とすることもできる。スライド式のレバーハンドル３０Ｂは、連結挿入口３３Ｂを直線状に移動させるので、ロック解除片６０をカバー片の内面で直線状に出し入れでき、カバー片内部の遊びを少なくできる。
（弾性部材３４）
【００３５】
図６のレバーハンドル３０は手で操作して回動させることができ、回動させた位置によって図６の水平断面図に実線で示すように扉の開閉をロック状態とするロック位置と、図４に破線で示すようにロック状態を解除するロック解除位置を切り替える。このレバーハンドル３０は、外力のない通常状態で、ロック位置となるようにレバーハンドル３０は弾性部材３４で付勢して回動させている。これによって、平常状態でロック状態が維持される。そして扉本体２０を開ける際に、弾性部材３４の付勢力に抗して手でレバーハンドル３０を回動させると、ロック位置からロック解除位置に移動させることができる。これによってロック状態が解除され、扉の開閉移動が可能となる。弾性部材３４は、板バネやつるまきバネ等が利用でき、図１（ａ）の例では板バネが使用される。これにより、安価でかつ動作不良を少なくして機械的トラブルを低減した信頼性の高い引き戸用のロック装置とすることができる。
【００３６】
レバーハンドル３０の回動動作に連動して、ロック装置はロック状態およびロック解除状態を切り替えられる。図４の水平断面図の例では、レバーハンドル３０はロック位置からロック解除位置まで約３５°回動させている。また図３の分解斜視図及び図５の垂直断面図に示すように、扉本体２０の上面にはカバー片５０が固定されており、このカバー片５０からレバーハンドル３０の回動動作に連動してロック解除片６０が突出する。またカバー片５０の上方には、ロック片４０が横枠１１の内面に固定されており、ロック片４０の先端が自重で扉本体２０側に自然に突出するよう付勢されている。
（ロック片４０）
【００３７】
ロック片４０は、図３の分解斜視図および図５の垂直断面図に示すように、扉本体２０の上端部を狭持するガイドレール１５である上鴨居レール１５Ａと扉本体２０の上端平面との間の空間に配置される。図３の例では、上鴨居レール１５Ａの内面に固定されており、ロック解除片６０の先端に向かって突出するように配置される。すなわちロック解除片６０がロック解除状態とするために移動する方向と、相対向する方向にロック片４０を突出させることで、ロック片４０がロック解除片６０に対してつっかえるように突き出させて、ロック状態を強固な状態に維持できる。
【００３８】
ロック片４０は、アーム状の傾斜部４２と、矢尻状に先端を突出させてロック傾斜面４４を形成したロック部４３とを有する。このロック片４０は、これらの部材を弾性を有するプラスチックや樹脂などで一体成形することで、後端の上鴨居レール１５Ａとの固定部分が弾性変形により折曲する。図５の垂直断面図に示す例では、ロック部４３の自重で付勢されて、傾斜部４２が下降して突出する。ただ、スプリングなどの弾性部材を設けることで、ロック部４３を強制的に下方に突出させるよう付勢してもよい。
（係止片）
【００３９】
またロック片４０は、図５の垂直断面図に示すようにロック部４３の先端から突出される係止片を備えている。係止片は、底面を平面状としており、この面を支持するためにカバー片あるいは上鴨居レール１５Ａに固定された支持片で支持されるように設計される。その結果、ロック部４３が降下する位置が規定され、ロック状態にあるときロック部４３が確実にロック位置にあるように、すなわちロック片４０のロック垂直面４７をカバー片のカバー垂直面５６と当接させる位置とできる。
【００４０】
またロック片４０の後端部分は、ガイドレール１５の内面と点状に固定される。また、回転軸などで回転自在に固定することもできる。これにより、ロック片４０の後端で傾斜部４２が回転され、ロック部４３のロック傾斜面４４をスムーズに上下でき、ロック状態とロック解除状態とをスムーズに切り替えできる。
【００４１】
ロック部４３は、下面すなわち扉本体２０の上端平面に面する側に、くの字状に突出されたロック傾斜面４４とロック垂直面４７とを連続して形成している。ロック傾斜面４４は、下面に山形に突出するようにロック部４３の先端から第１傾斜面４５と第２傾斜面４６を形成している。図５（ｄ）の垂直断面図に示すように、第１傾斜面４５は、傾斜部４２からほぼ同一平面となるように延長されて、第２傾斜面４６よりも長く形成されると共に、第１傾斜面４５と第２傾斜面４６との接合部分Ａを鈍角に形成している。さらに第２傾斜面４６とロック垂直面４７との境界部分Ｂも鈍角に形成され、後述するようにロック片４０がロック位置にある状態でロック垂直面４７はほぼ垂直となり、カバー片５０のカバー垂直面５６と対向するように設計される。
【００４２】
この形状のロック片４０は、扉本体２０の上面に固定されたカバー片５０と、カバー片５０から突出するよう扉本体２０の上面をレバーハンドル３０の操作に従いスライド自在に連結されたロック解除片６０とによって、ロック状態及びロック解除状態を切り替える。
（カバー片５０）
【００４３】
カバー片５０は、ロック解除片６０を収納する部材であり、図３の分解斜視図および図５の垂直断面図に示すように扉本体２０の上端平面上に固定されている。扉本体２０の上端平面は、上鴨居レール１５Ａ内をスライドするため、戸枠１０に扉本体２０をセットした状態で上端平面と上鴨居レール１５Ａの水平面との間に空間が形成され、かつこの空間内にカバー片５０やロック片４０が収納できるような大きさにそれぞれが設計される。好ましくは、図３の分解斜視図に示すように、扉本体２０の上端平面から突出する領域が少なくなるよう、カバー片５０は薄く形成される。
【００４４】
図７に、ロック解除片６０を内蔵したカバー片ユニット５１の平面図および垂直断面図を示す。この図に示すカバー片５０は、平板状のベース板５２と、この上に固定され一端を開口した中空箱状の箱部５４とで構成される。箱部５４は、内部に後述するロック解除片６０をスライド自在に挿入するよう、挿入空間５５を形成している。箱部５４は、扉本体２０を閉塞位置から開放する際に移動する方向、図５の垂直断面図においては左側を開口しており、ここからロック解除片６０が突出する。箱部５４内部の挿入空間５５はロック解除片６０を挿入できる大きさに設計され、図３の分解斜視図に示す例では平板状のロック解除片６０が自在にスライドできるよう、ロック解除片６０よりも若干大きい大きさ及び形状に構成される。また箱部５４の外形は、上面をほぼフラットに形成すると共に、開口端を垂直なカバー垂直面５６とし、開口端と対向するカバー片５０の後端縁５７は曲面状としている。カバー端縁５７を曲面とすることで、この曲面がロック解除片６０と接触する際にロック片４０の第１傾斜面４５からＡ点に接触部分を滑らかに移動し、ロック片４０をスムーズに持ち上げることができる。
【００４５】
図７に示すようにカバー片５０にロック解除片６０を予めセットしたユニット状に構成することで、扉本体２０への施工を容易にすることができる。このカバー片ユニット５１はネジ止めにより扉本体２０の上端平面に固定される。図７（ａ）の平面図に示すように、ネジ穴５８は３箇所に設けられ、２箇所をベース板５２に、１箇所を箱部５４を貫通して設けている。箱部５４に設けられた貫通ネジ穴５８Ａはロック解除片６０を貫通してネジ止めするため、予めロック解除片６０のスライドする距離分だけスリット５９Ａを設けておき、これによってネジによりロック解除片６０のスライド移動が阻止されることなく移動でき、かつこのスリットおよびネジ止めによってロック解除片６０のスライド移動のガイドとしても機能する。さらにベース板５２には、ロック解除片６０の下面から突出する連結ピン６４がロック解除片６０のスライドの妨げとならないように、同様に連結ピン６４の移動軌跡に沿ってスリット５９Ｂが形成されている。
【００４６】
このカバー片５０は、ベース板５２上に箱部５４を固定しているため、図５の垂直断面図及び図７（ｂ）の断面図に示すように扉本体２０の上端平面からベース板５２の厚さ分離間して突出する。ただ、ベース板を設けず箱部を直接扉本体の上端平面に固定する方式としてもよい。
（ロック解除片６０）
【００４７】
さらにロック解除片６０は、カバー片５０の挿入空間５５に挿入され、扉本体２０の上端平面に沿ってスライド自在に装着されている。ロック解除片６０は、箱部５４の開口部から突出する端縁に解除傾斜面６２を形成している。解除傾斜面６２は、ロック解除片６０の先端上面から側面にかけて斜めにカットしている。ロック解除片６０の解除傾斜面６２およびカバー片５０のカバー垂直面５６、ならびにロック片４０の第２傾斜面４６、ロック垂直面４７の形状及び寸法は、図１（ａ）に示すロック状態において、ロック位置に後退されたロック解除片６０の解除傾斜面６２とカバー垂直面５６とが形成する鈍角が、ロック片４０の第２傾斜面４６およびロック垂直面４７とが形成するＢ点の角度と一致し、かつロック垂直面４７の長さ（Ｂ−Ｃ間）とカバー片５０のカバー垂直面５６の厚さがほぼ等しく、さらに第２傾斜面４６の長さは第２傾斜面４６と第１傾斜面４５の境界であるＡ点が扉本体２０の上端平面に接触しない長さに設計される。
【００４８】
さらにロック解除片６０は、図７（ｂ）の垂直断面図に示すように、下面から連結ピン６４を突出させている。連結ピン６４は、図４の水平断面図等に示すレバーハンドル３０の連結挿入口３３に挿入される。これによってロック解除片６０は、図５（ａ）、（ｂ）の垂直断面図に示すようにレバーハンドル３０の回動に連動してスライドする。すなわち、レバーハンドル３０が図４に実線で示すロック位置にあるとき、ロック解除片６０は図５（ａ）に示すように後退したロック位置となり、ロック解除片６０の先端はカバー垂直面５６の端縁から解除傾斜面６２がほぼ連続する位置となる。この状態では、扉本体２０を開放させようとしても、すなわち左方向に移動させようとしても、扉本体２０に固定されたカバー片５０のカバー垂直面５６がロック垂直面４７に当接して移動が妨げられ、すなわち扉を開くことができないロック状態となる。
【００４９】
この状態からレバーハンドル３０が手で操作され、図６に破線で示すロック解除位置に回動されると、連結挿入口３３が左側に移動されるので、連結挿入口３３に挿入された連結ピン６４を介してロック解除片６０が押し出される。図５（ｂ）に示すように解除傾斜面６２の進行に伴ってロック片４０の第２傾斜面４６が押し上げられるので、カバー垂直面５６とロック垂直面４７との係止状態が解除され、扉本体２０を左方向に移動させることが可能となる、すなわち扉を開放できないロック状態が解除される。これによって、図５（ｃ）に示すように扉本体２０を左に移動させると、カバー垂直面５６の進行がロック垂直面４７で阻止されず、特にロック片４０のロック部４３が押し上げられると、ロック垂直面４７が傾斜されるので、カバー垂直面５６のエッジであるＥ点がロック垂直面４７に接触しても、傾斜したロック垂直面４７に沿ってさらにロック片４０が押し上げられることとなり、Ｅ点はロック片４０のＢ点をも乗り越えて、ロック片４０のＡ点を超えると箱部５４の背面がＡ点と接触しながら扉本体２０が左方向に移動される。そして図５（ｄ）に示すようにＡ点がカバー端縁５７に達するとカバー端縁５７が第１傾斜面４５を伝いながら降下される。このように、レバーハンドル３０をロック位置からロック解除位置に移動させることで、扉本体２０が移動できないロック状態を解除して扉の開放が可能となるのである。
【００５０】
なおこのとき、ロック傾斜面４４が扉本体２０の上面に対して突出したＡを頂点とする山形の高さＤ１は、カバー垂直面５６とロック垂直面４７との当接面の長さＤ２よりも大きくなるように設計する。これによって、ロック傾斜面４４の山形が押し上げられると、ロック部４３が持ち上げられ、カバー垂直面５６との当接が失われる分だけロック垂直面４７が上昇するので、当接状態を解消してロック状態を解除できる。
【００５１】
以上のロック装置１００は、以下のようにしてロック状態およびロック状態の解除を行う。
（１）ロック状態とするには、扉本体２０を右側に移動させて戸当２４を戸枠１０の縦枠１４に接触させる。このとき、使用者は手を握り空間２６に挿入し、図１（ａ）の垂直断面図及び図４の水平断面図に示すように戸当２４側の内面すなわちレバーハンドル３０を設けていない側Ｕに手をかけて扉本体２０を移動させる。このためレバーハンドル３０は操作されず、ロック解除片６０はロック位置のまま保持される。これにより、図５（ｄ）〜図５（ａ）の順にロック片４０がカバー端縁５７からカバー片５０を乗り越えて、図１（ａ）のようにロック状態となる。具体的には、図５（ｄ）に示すように扉本体２０を開放位置から、戸当２４を縦枠１４に近付けるように、図において右側に移動させると、カバー端縁５７がロック片４０と接近してカバー端縁５７の曲面がロック片４０の第１傾斜面４５に接触し、第１傾斜面４５に沿ってロック片４０が押し上げられる。特にロック片４０の傾斜部４２と第１傾斜面４５とを連続面とすることで、ロック片４０の連続した先細りとなる傾斜面に対して扉本体２０が進行を妨げられることなくスムーズに移動できる。そして図５（ｃ）の状態ではＡ点が箱部５４の平面をなぞるようにカバー片５０が右に進み、カバー片５０のＥ点を過ぎると図５（ａ）のようにロック片４０が自重で降下し、ロック垂直面４７から第２傾斜面４６に連なる折曲面が、カバー垂直面５６からロック解除片６０の解除傾斜面６２に連なる折曲面と一致し、ロック状態となる。この状態では、カバー垂直面５６がロック垂直面４７と当接するため、カバー片５０と固定された扉本体２０を左方向に、すなわち扉を開放する方向に移動することができない。またこの構成では、一旦扉本体２０の戸当２４が縦枠１４に接触するとロック状態となるため戻り止め機構としても働き、弾性体である戸当２４が縦枠１４に当たった衝撃で跳ね返って扉が半空きとなることが回避される。なお、跳ね返りを防止するために、別途エアシリンダ等を設けて、扉本体２０を付勢して閉めようとしても、エアシリンダで緩和してスムーズに閉まるように構成することもできる。
【００５２】
（２）扉本体２０を閉塞した状態からロック状態を解除して扉本体２０をスライドさせるには、図１（ｂ）の垂直断面図および図４の水平断面図に示すように、使用者は手を握り空間２６に挿入し、今度は扉本体２０を移動させる方向、すなわちレバーハンドル３０を設けた側に手をかける。これにより、自然にレバーハンドル３０に手がかかるので、レバーハンドル３０を容易に回動できる。弾性体の付勢力に抗してレバーハンドル３０をロック位置からロック解除位置に回動させると、この回動動作に連動してレバーハンドル３０上面で連結ピン６４が回動され、図５（ａ）に示すようにロック解除片６０が箱部５４の挿入空間５５から押し出される。これにより、解除傾斜面６２が進行して第２傾斜面４６を押し上げ、ロック片４０が押し上げられて、図５（ｂ）に示すようにロック垂直面４７とカバー垂直面５６との係止状態が解かれ、ロック解除状態となる。この状態では扉本体２０を左方向にスライドさせても、ロック垂直面４７が進行の妨げとならないので、抵抗なくスライド可能となる。なお、一旦ロック解除状態として扉本体２０をスライドさせると、ロック片４０が押し上げられる結果ロック垂直面４７は傾斜されるため、カバー垂直面５６の力に抗しきれなくなり、最早ロック状態を維持できない。すなわち、扉本体２０を移動させ始めた後はレバーハンドル３０を把持してロック解除位置に保持する必要はなく、レバーハンドル３０を回動させる力を緩めても扉本体２０はスムーズに開放できる。
【００５３】
以上のようにして、ロック装置は扉本体の移動を阻止するロック状態およびロック状態の解除を簡素な構成により確実に切り替えることができる。これによって扉を閉めると自動的にロック状態とでき、手でレバーハンドルを操作しない限りロック状態が解除されず、簡易的なロックとして利用できると共に、意図しない引き戸の開放が阻止され、地震などの事故の際にも多少の衝撃では引き戸が開いて収納物が飛び出すことがなく、安全性を高めることができる。
【００５４】
また、地震などの衝撃で扉本体が戸枠から外れてしまうことを防止するための機構を適宜付加してもよい。例えば図８の断面図に示すように、横枠１１の上鴨居レール１５Ａのコ字状開口部にストッパ６６を配置し、上鴨居レール１５Ａ内で扉本体２０の垂直方向への遊びを少なくする。ストッパ６６はゴムなどの弾性体やプラスチック等が利用できる。さらに図８（ｂ）に示すように、扉本体２０の下面で扉のスライド方向に沿って板状のガイド板６７を突出させ、横枠１２には、ガイド板６７を挿入するためのガイドスリット６８を形成している。ガイドスリット６８は、戸車２１を覆うように折曲された金属板などが利用できる。これによって扉本体２０の上下で戸枠１０から外れないように保持され、扉本体２０のがたつきを抑止すると共に、ショックで扉本体２０がレールから外れる事態を防止できる。
【００５５】
あるいは、図９の断面図に示すように、戸車２１Ｂの側面を断面凹状となるように、中心部分を凹ませた凹状部６９とし、また横枠１２からはこの凹状部６９に挿入されるように突出する凸状部７０を形成する。この構成によっても、扉本体２０の下面を凹状部６９と凸状部７０の係合によって保持でき、扉本体２０上方に設けられたストッパ６６と共に扉本体２０を上下から狭持する。このような構成を併用することによって、地震などの不慮の事故の際に扉が不意に開いたり外れたりする事故を回避し、安全性が高められる。
【００５６】
なお、以上の図では説明のため主に右側に位置する扉本体のロック装置のみを説明したが、左側に位置する扉本体にも、左側の戸当に近接してロック装置が設けられていることは言うまでもない。
（実施の形態２）
【００５７】
以上の例では、引き戸のロック構造を、ロック片が上下に移動あるいは回動してロック状態、ロック解除状態を切り替える構成を採用していた。本発明は、この構成に限られず、例えばロック片が左右に移動あるいは回動することで、ロック状態／ロック解除状態を切り替える構成とすることもできる。次に実施の形態２として、図１２及び図１３に示す引き戸用のロック構造を説明する。これらの図において、図１２は実施の形態２に係る引き戸用のロック装置２００を示す分解斜視図を、図１３はこの引き戸用のロック装置２００の動作を示す水平断面図を、それぞれ示している。またこれらの図において、上述した実施の形態と同様の部材については同一の番号を付し、詳細説明を省略する。
【００５８】
これらの図に示す引き戸用のロック機構は、図１２に示すように、ロック片４０Ｂを左右に首振り式に回動させ、さらにロック解除片６０Ｂにはその上面でなく、ロック片４０Ｂと面する側面に解除傾斜面６２Ｂを形成している。すなわち、図３の分解図に示したロック片４０Ｂやロック解除片６０Ｂ、カバー片５０Ｂを、９０°寝かせたような配置としている。ロック片４０Ｂも、アーム状の傾斜部４２Ｂと、矢尻状に先端を突出させてロック傾斜面４４Ｂを形成したロック部４３Ｂとを有する。ロック傾斜面４４Ｂは、側面（図１２において手前側）に山形に突出するように、ロック部４３Ｂの先端から第１傾斜面４５Ｂと第２傾斜面４６Ｂを形成している。図１３に示すように、ロック片４０Ｂはスプリングなどの弾性部材Ｒで付勢しており、ロック傾斜面４４Ｂの第２傾斜面４６Ｂがロック解除片６０Ｂの解除傾斜面６２Ｂに接するように押し出している。これによって、扉本体が閉塞位置にある状態では、第２傾斜面４６Ｂが解除傾斜面６２Ｂに接する結果、ロック垂直面４７Ｂでカバー片５０Ｂのカバー垂直面５６Ｂを当接してロック状態となる。一方、レバーハンドルを握って回転させると、これに連動してロック解除片６０Ｂが押し出されて解除傾斜面６２Ｂが第２傾斜面４６Ｂを押す結果、この傾斜面に沿ってロック片４０Ｂがスライドし、ロック片４０Ｂが回転する。この回転によってロック垂直面４７Ｂが移動し、カバー垂直面５６Ｂから外れると、ロック状態が解除され、カバー片５０Ｂと連結された扉本体の移動が可能となる。
【００５９】
このように実施の形態２に係るロック装置２００は、上記実施の形態１と同様にレバーハンドルの操作でロック状態とロック解除状態とを切り替えることができる。この構成は、図１３に示すように、特に扉本体の厚さが薄い場合に好適に利用できる。一方で実施の形態２に係るロック装置２００は、図１２に示すように横向きに倒したロック片４０Ｂが収納できるスペースが必要となるため、ガイドレール１５Ｂと扉本体上面との間にある程度の空間が確保できることが必要となる。他方、実施の形態１に係る構成では、ガイドレール１５Ｂと扉本体上面との間の空間が狭くても利用できる利点がある。このように、扉本体の厚さやガイドレールとの間の空間の大きさなどに応じて、ロック装置の配置を工夫することが可能となる。
【産業上の利用可能性】
【００６０】
本発明の引き戸及び引き戸用のロック装置は、食器棚や本棚、陳列棚等の棚、箪笥等の家具、倉庫や収納具、キャビネット、ロッカー、プレハブ建物、パーティションの出入り口などに加えて、出入口のドアといった種々の引き戸のロック構造として好適に利用できる。
【図面の簡単な説明】
【００６１】
【図１】本発明の実施の形態１に係る引き戸用のロック装置を示す正面図および垂直断面図である。
【図２】図１に示す引き戸の外観を示す斜視図である。
【図３】図２の引き戸のロック装置を示す分解斜視図である。
【図４】図３のレバーハンドルの動作状態を示す水平断面図である。
【図５】図３のロック装置の動作を示す垂直断面図である。
【図６】レバーハンドルを設けた握り空間を構成する戸当ユニットを示す平面図である。
【図７】ロック解除片を内蔵したカバー片ユニットを示す平面図および垂直断面図である。
【図８】本発明の他の実施の形態に係る引き戸用のロック装置を示す正面図および垂直断面図である。
【図９】本発明のさらに他の実施の形態に係る引き戸用のロック装置を示す正面図および垂直断面図である。
【図１０】従来の引き戸のロック装置の一例を示す分解斜視図である。
【図１１】レバーハンドルを設けた握り空間を構成する戸当ユニットの他の例を示す平面図である。
【図１２】本発明の実施の形態２に係る引き戸用のロック装置を示す分解斜視図である。
【図１３】図１２に示す引き戸用のロック装置の動作を示す水平断面図である。
【符号の説明】
【００６２】
１００、２００…ロック装置
１０…戸枠
１１、１２…横枠
１３、１４…縦枠
１５、１５Ｂ、１６…ガイドレール；１５Ａ…上鴨居レール；１６Ａ…下鴨居レール
２０…扉本体
２１…戸車
２２…ガラス板
２３…戸当ユニット
２４…戸当
２６…握り空間
２７…湾曲面
３０、３０Ｂ…レバーハンドル
３１…回動軸保持筒
３２…回動軸
３３、３３Ｂ…連結挿入口
３４…弾性部材
４０、４０Ｂ…ロック片；４２、４２Ｂ…傾斜部
４３、４３Ｂ…ロック部；４４、４４Ｂ…ロック傾斜面
４５、４５Ｂ…第１傾斜面；４６、４６Ｂ…第２傾斜面；４７、４７Ｂ…ロック垂直面
５０、５０Ｂ…カバー片；５１…カバー片ユニット
５２…ベース板
５４…箱部
５５…挿入空間
５６、５６Ｂ…カバー垂直面
５７…カバー端縁
５８…ネジ穴；５８Ａ…貫通ネジ穴；５９Ａ、５９Ｂ…スリット
６０、６０Ｂ…ロック解除片；６２、６２Ｂ…解除傾斜面
６４…連結ピン；６６…ストッパ
６７…ガイド板
６８…ガイドスリット
６９…凹状部
７０…凸状部
８０…引手；８１…第１固定軸；８２…周側壁；８５…底壁
８６…切欠部；８７…折り曲げ部分；８８…第２固定軸；８９…スライド駆動板
９０…引っ張り手段；９２…係合部；９５、９６…押え板
Ｕ…レバーハンドルを設けていない側
Ｒ…弾性部材
【図１】
0004643422.tif 000002
【図２】
0004643422.tif 000003
【図３】
0004643422.tif 000004
【図４】
0004643422.tif 000005
【図５】
0004643422.tif 000006
【図６】
0004643422.tif 000007
【図７】
0004643422.tif 000008
【図８】
0004643422.tif 000009
【図９】
0004643422.tif 000010
【図１０】
0004643422.tif 000011
【図１１】
0004643422.tif 000012
【図１２】
0004643422.tif 000013
【図１３】
0004643422.tif 000014